【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
ヒト又は動物の軟質組織内にインプラントするための、慣性による移動に抵抗性の医療用ミクロ電極であって、該電極は前部末端、後部末端を有し、そして２０℃での密度０．８０〜１．１５、特に０．９０〜１．０７、更に特に０．９５〜１．０３を有し、下記のいずれかを含む該医療用ミクロ電極：
金属及び／又は導電性ポリマーを含む又は金属及び／又は導電性ポリマーから成る導電性管状リード線であって、外側面と密閉した内腔とを有する該管状リード線；
金属及び／又は導電性ポリマーを含む又は金属及び／又は導電性ポリマーから成る導電性ワイアリード線であって、表面と、該表面に取り付けられた密度が１．０未満の浮揚性要素とを有する該ワイアリード線；
ここで、該外側面又は該表面はそれぞれ電気絶縁されている。
【請求項２】
上記密度が０．９９±０．０２である、請求項１の電極。
【請求項３】
上記内腔が空洞である、請求項１の電極。
【請求項４】
上記内腔がフィラーを含む１つ又はそれ以上のセクション、及び場合によっては１つ又はそれ以上の空洞セクションを含む、請求項１の電極。
【請求項５】
上記フィラーの密度が０．８以下、特に０．６以下である、請求項４の電極。
【請求項６】
上記フィラーが多孔性材料を含む、請求項４の電極。
【請求項７】
上記フィラーがポリマーを含む、請求項４の電極。
【請求項８】
上記ポリマーが可撓性、特に弾性的に可撓性である、請求項７の電極。
【請求項９】
上記ポリマーが閉鎖孔を含む、請求項７の電極。
【請求項１０】
上記ポリマーの２０℃での密度が０．８未満、好ましくは０．６未満である、請求項９の電極。
【請求項１１】
上記浮揚性要素が、閉鎖孔を含むポリマーを含む、請求項１の電極。
【請求項１２】
上記ポリマーの２０℃での密度が０．８未満、好ましくは０．６未満である、請求項１１の電極。
【請求項１３】
上記ポリマーが可撓性、特に弾性的に可撓性である、請求項１１の電極。
【請求項１４】
体液中で溶解性又は分解性のマトリックス中に完全に又は部分的に埋め込まれた請求項１の電極。
【請求項１５】
電子的増幅手段及び／又はマイクロプロセッサ手段を含み、該電極と該電子的増幅手段及び／又はマイクロプロセッサ手段の組み合わせが２０℃で０．８０〜１．１５、特に０．９０〜１．０７、更に特に０．９５〜１．０３の密度を有する、請求項１の電極。
【請求項１６】
上記密度が０．９９±０．０２である、請求項１５の電極。
【請求項１７】
上記電子的増幅／マイクロプロセッサ手段が後部末端に又はその近くに配置された、請求項１５の電極。
【請求項１８】
上記電極から離れて配置された電子的増幅手段及び／又はマイクロプロセッサ手段との間の電気的連絡のために、該電極の後部末端で若しくはその近くで超薄型絶縁ワイアが取り付けられた、請求項１の電極。
【請求項１９】
上記超薄型絶縁ワイアが電極ワイアと一体である、請求項１８の電極。
【請求項２０】
上記電子的増幅手段及び／又はマイクロプロセッサ手段が上記ヒト又は動物の軟質組織に配置される、請求項１５の電極。
【請求項２１】
上記電子的増幅手段及び／又はマイクロプロセッサ手段が電気エネルギーの源を含む、請求項１５の電極。
【請求項２２】
上記電子的増幅手段及び／又はマイクロプロセッサ手段が、上記ヒト又は動物の外に配置された制御手段に／該制御手段からの放射線を伝達する及び／又は受けるための手段を含む、請求項１５の電極。
【請求項２３】
前部末端に又はその近くに配置された固定手段を含む、請求項１の電極。
【請求項２４】
請求項１〜２３のいずれか１項の電極を２つ又はそれ以上含む、電極束。
【請求項２５】
体液中で溶解性又は分解性の材料中に部分的に又は完全に封入された請求項２４の電極束。
【請求項２６】
請求項１〜２３のいずれか１項の電極を２つ又はそれ以上含む、電極アレー。
【請求項２７】
請求項２４又は２５の電極束を２つ又はそれ以上含む、電極アレー。
【請求項２８】
体液中で溶解性又は分解性の材料中に部分的に又は完全に封入された請求項２６の電極アレー。
【請求項２９】
体液中で溶解性又は分解性の材料中に部分的に又は完全に封入された請求項２７の電極アレー。
【請求項３０】
密閉した多孔性材料を含む、請求項１〜２３のいずれか１項の電極、請求項２４又は２５の電極束、又は請求項２６〜２９のいずれか１項の電極アレー。
【手続補正２】
【補正対象書類名】明細書
【補正対象項目名】００３６
【補正方法】変更
【補正の内容】
【００３６】
【図１】本発明の電極の第１態様の軸方向（Ａ−Ａ）断面図を示す。
【図２−８】図１の態様の変形の、同じ断面図を示す。
【図９】本発明の電極の第２態様の軸方向（Ｂ−Ｂ）断面図を示す。
【図１０】図９の態様の変形を、同じ断面図で示す。
【図１１】溶解性マトリックス本体に埋め込まれた図１０の電極を示す。
【図１２ａ−１２ｆ】本発明の電極リード線の例の半径方向断面図を示す。
【手続補正３】
【補正対象書類名】明細書
【補正対象項目名】００３８
【補正方法】変更
【補正の内容】
【００３８】
図２に示す、図１の電極１のミクロ電極の第１変形１０１において、ポリエチレンプラグ１０６は、内腔１０５内に、先の尖った１１１アルミニウム合金のリード線１０２の後部端１０４から距離を置いて配置されて、該内腔１０５を、プラグ１０６から前部端１０３に延びる密封部分とプラグ１０６から後部端１０４に延びる開放部分とを約２：１の割合に分割する。内腔１０５の該開放部分には圧縮されたグルコース粉末１０７が充填されている。電極１０１を軟質組織に挿入すると、水性体液は該粉末１０７と接触してそれをゆっくり溶かす。内腔１０５の開放部分を水性流体に溶解性の材料で満たすと、内腔１０５の開放部分に空気が満ちたポケットが残るのを回避する。
【手続補正４】
【補正対象書類名】明細書
【補正対象項目名】００４１
【補正方法】変更
【補正の内容】
【００４１】
図５に示す第４のミクロ電極変形４０１は図１のミクロ電極と、リード線４０２の前部端４０３が丸い先端４１１を有する点で相違する。内腔４０５は後部端４０４でポリウレタンプラグ４０６により閉鎖されている。薄い絶縁された（図示なし）ワイア４０９がリード線４０２の外側表面に（４１０で）ハンダ付けされて、電極４０１と電極制御装置（図示なし）との間に電気的接続を与える。
【手続補正５】
【補正対象書類名】明細書
【補正対象項目名】００４４
【補正方法】変更
【補正の内容】
【００４４】
図８に示す、図１の電極１のミクロ電極の第７変形７０１は、管状リード線７０２を含み、該リード線７０２は、その前部端７０３の先が尖った先端７１１以外は、回転対称である。内腔７０２はポリマーフォームが部分的に充填され、第１フォームセクション７０８はリード線７０２の後部端７０４から前部端７０３に向かって延び、そして第２フォームセクション７０８’は前部端７０３から後部端７０４に向かって延びて、リード線の内腔の空洞中央セクション７０５を区切る。
【手続補正６】
【補正対象書類名】明細書
【補正対象項目名】００４７
【補正方法】変更
【補正の内容】
【００４７】
図１１は、炭水化物マトリックス９２０の本体に入れられた図１０の電極を示し、該マトリックス９２０によって、小さい電極９０１を軟質組織中に、その物理的一体性を危うくすることなしに挿入できる。挿入すると、該マトリックス本体９２０は水性体液により溶かされて、該電極と該組織との物理的な接触が得られる。マトリックス本体９２０は回転対称性であり、そして電極９０１の周りに、その回転軸が電極９０１の回転軸と一致するように配置される。マトリックス本体９２０はその前部端で先の尖った先端９１１を有する。